(57)【特許請求の範囲】
【請求項１】
ウェハの非接触式チャッキングのための装置であって、
ウェハチャックを備え、当該ウェハチャックが、前記ウェハを前記ウェハチャックの面より上に持ち上げるために１以上の加圧ガス領域を前記ウェハチャックの前記面にわたって生成するように構成された１以上の加圧ガス要素を含み、前記ウェハチャックが、さらに、１以上の減圧領域を前記ウェハチャックの前記面にわたって生成するように構成された１以上の真空要素を含み、前記減圧領域が、前記加圧ガス領域よりも低い圧力を有し、前記１以上の減圧領域が、前記ウェハを、前記ウェハチャックより上に、前記ウェハチャックに接触させずに保持するための領域であり、前記装置が、さらに、
前記ウェハチャックの一部に連結されたグリッパ組立体と、
前記ウェハチャックに機械的に連結された回転駆動ユニットとを備え、
前記回転駆動ユニットが、前記ウェハチャックを選択的に回転させるように構成されており、
前記グリッパ組立体が、前記ウェハの１以上のエッジ部に、前記ウェハを水平方向に保持するように、そしてそれにより、前記ウェハ及び前記グリッパ組立体が、前記回転駆動ユニットによる前記ウェハチャックの回転中に前記ウェハチャックと同期的に回転するように可逆的に連結可能であり、
前記加圧ガス要素からのガスが前記減圧領域に流れ、前記真空要素から排出される、
装置。
【請求項２】
前記１以上の加圧ガス要素が、
ガスを前記ウェハチャックの前記面から上方に送って前記１以上の加圧領域を生成するように構成された１以上の加圧ガスチャネルを含む、請求項１に記載の装置。
【請求項３】
前記ウェハチャックの前記１以上の加圧要素が、前記ウェハをウェハチャックの前記面より上に持ち上げるための加圧エアポケットを形成している、請求項１に記載の装置。
【請求項４】
前記１以上の真空要素が、
ガスを前記ウェハチャックの前記面から排出させて前記１以上の減圧領域を生成するように構成された１以上の真空ノズルを含む、請求項１に記載の装置。
【請求項５】
前記１以上の真空要素が、
ガスを前記ウェハチャックの前記面から排出させて前記１以上の減圧領域を生成するように構成された１以上の真空チャネルを含む、請求項１に記載の装置。
【請求項６】
前記１以上の加圧ガス要素が、
複数の加圧ガス要素を含む、請求項１に記載の装置。
【請求項７】
前記１以上の真空要素が、
複数の真空要素を含む、請求項６に記載の装置。
【請求項８】
前記複数の真空要素の少なくとも幾つかが、前記複数の加圧ガス要素の少なくとも幾つかにより挟まれて配置されている、請求項７に記載の装置。
【請求項９】
前記１以上の加圧ガス要素が、
複数の加圧ガス要素のセットを含む、請求項１に記載の装置。
【請求項１０】
前記１以上の真空要素が、
複数の真空要素のセットを含む、請求項９に記載の装置。
【請求項１１】
前記複数の真空要素のセットの少なくとも幾つかが、前記複数の加圧ガス要素のセットの少なくとも幾つかにより挟まれて配置されている、請求項１０に記載の装置。
【請求項１２】
前記１以上の加圧領域が前記１以上の減圧領域の付近にある、請求項１に記載の装置。
【請求項１３】
前記１以上の加圧領域が前記１以上の減圧領域に隣接している、請求項１に記載の装置。
【請求項１４】
前記１以上の加圧領域が前記１以上の減圧領域と交互に配置されている、請求項１に記載の装置。
【請求項１５】
前記グリッパ組立体が、
複数のグリッパ要素を含む、請求項１に記載の装置。
【請求項１６】
前記複数のグリッパ要素が、
３つ以上のグリッパ要素を含む、請求項１５に記載の装置。
【請求項１７】
前記グリッパ要素の少なくとも幾つかが前記ウェハのエッジ部に連結可能である、請求項１５に記載の装置。
【請求項１８】
前記グリッパ組立体が、前記グリッパ組立体に連結されたカムユニットを含み、当該カムユニットが、前記グリッパ組立体の１以上のグリッパ要素の線形運動を駆動するように構成されている、請求項１に記載の装置。
【請求項１９】
前記グリッパ組立体が、前記ウェハの前記エッジ部に選択的に係合されるように構成されている、請求項１に記載の装置。
【請求項２０】
前記グリッパ組立体が、前記ウェハの前記エッジ部から選択的に係合解除されるように構成されている、請求項１に記載の遮蔽装置。
【請求項２１】
前記グリッパ組立体が、前記ウェハを前記ウェハチャック上に水平方向に配置するように構成されている、請求項１に記載の装置。
【請求項２２】
前記回転駆動ユニットが、
スピンドルと、
モータとを含む、請求項１に記載の装置。
【請求項２３】
前記ウェハが、
半導体ウェハを含む、請求項１に記載の装置。
【請求項２４】
光学系であって、
ウェハチャッキングサブシステムを備え、当該サブシステムが、
ウェハチャックを含み、当該ウェハチャックが、ウェハを前記ウェハチャックの面より上に持ち上げるために１以上の加圧ガス領域を前記ウェハチャックの前記面にわたって生成するように構成された１以上の加圧ガス要素を含み、前記ウェハチャックが、さらに、１以上の減圧領域を前記ウェハチャックの前記面にわたって生成するように構成された１以上の真空要素を含み、前記減圧領域が前記加圧ガス領域よりも低い圧力を有し、前記１以上の減圧領域が、前記ウェハを、前記ウェハチャックより上に、前記ウェハチャックに接触させずに保持するための領域であり、前記サブシステムが、さらに、
前記ウェハチャックの一部に連結されたグリッパ組立体と、
前記ウェハチャックに機械的に連結された回転駆動ユニットとを含み、前記回転駆動ユニットが、前記ウェハチャックを選択的に回転させるように構成されており、前記グリッパ組立体が、前記ウェハの１以上のエッジ部に、前記ウェハを水平方向に保持するように、そしてそれにより、前記ウェハ及び前記グリッパ組立体が、前記回転駆動ユニットによる前記ウェハチャックの回転中に前記ウェハチャックと同期的に回転するように可逆的に連結可能であり、前記光学系が、さらに、
前記ウェハチャッキングサブシステムにより保持された前記ウェハの１以上の部分を照射するように構成された照射源と、
前記照射された前記ウェハの１以上の部分からの照射を収集するように構成された検出器とを含み、
前記加圧ガス要素からのガスが前記減圧領域に流れ、前記真空要素から排出される、
光学系。
【請求項２５】
前記光学系が検査ツールとして構成されている、請求項２４に記載の光学系。
【請求項２６】
前記光学系がウェハエッジ検査ツールとして構成されている、請求項２５に記載の光学系。
【請求項２７】
前記光学系が、明視野検査ツール又は暗視野検査ツールの少なくとも一方として構成されている、請求項２５に記載の光学系。
【請求項２８】
前記光学系が計測ツールとして構成されている、請求項２４に記載の光学系。
【請求項２９】
前記１以上の加圧ガス要素が、
ガスを前記ウェハチャックの前記面から上方に送って前記１以上の加圧領域を生成するように構成された１以上の加圧ガスチャネルを含む、請求項２４に記載の光学系。
【請求項３０】
前記１以上の真空要素が、
ガスを前記ウェハチャックの前記面から排出させて前記１以上の減圧領域を生成するように構成された１以上の真空ノズルを含む、請求項２４に記載の光学系。
【請求項３１】
前記１以上の真空要素が、
ガスを前記ウェハチャックの前記面から排出させて前記１以上の減圧領域を生成するように構成された１以上の真空チャネルを含む、請求項２４に記載の光学系。
【請求項３２】
前記１以上の加圧ガス要素が、
複数の加圧ガス要素を含む、請求項２４に記載の光学系。
【請求項３３】
前記１以上の真空要素が、
複数の真空要素を含む、請求項２４に記載の光学系。
【請求項３４】
前記グリッパ組立体が、
複数のグリッパ要素を含む、請求項２４に記載の光学系。
【請求項３５】
前記複数のグリッパ要素が、
３つ以上のグリッパ要素を含む、請求項３４に記載の光学系。
【請求項３６】
前記グリッパ要素の少なくとも幾つかが前記ウェハのエッジ部に連結可能である、請求項３４に記載の光学系。
【請求項３７】
前記グリッパ組立体が、前記グリッパ組立体に連結されたカムユニットを含み、当該カムユニットが、前記グリッパ組立体の１以上のグリッパ要素の線形運動を駆動するように構成されている、請求項２４に記載の光学系。
【請求項３８】
前記グリッパ組立体が、前記ウェハの前記エッジ部に選択的に係合されるように構成されている、請求項２４に記載の光学系。
【請求項３９】
前記グリッパ組立体が、前記ウェハの前記エッジ部から選択的に係合解除されるように構成されている、請求項２４に記載の光学系。
【請求項４０】
前記グリッパ組立体が、前記ウェハを前記ウェハチャック上に水平方向に配置するように構成されている、請求項２４に記載の光学系。
【請求項４１】
ウェハの非接触式チャッキングのための方法であって、
前記ウェハをウェハチャックの面より上に持ち上げるために、１以上の加圧ガス領域を前記ウェハチャックの前記面にわたって生成するステップと、
前記ウェハを前記ウェハチャックより上に、前記ウェハチャックに接触させずに保持するために、１以上の減圧領域を前記ウェハチャックの前記面にわたって生成するステップと、
グリッパ組立体を前記ウェハのエッジ部に、前記ウェハを前記ウェハチャックに対して回転可能に保持するために可逆的に連結するステップと、
前記ウェハ、前記グリッパ組立体、及び、前記ウェハチャックを、選択された回転速度で同期的に回転させるステップとを含み、
ガスが前記加圧ガス領域から前記減圧領域に流れて排出される、
方法。
【発明の詳細な説明】
【技術分野】
【０００１】
関連出願の相互参照
本出願は、２０１３年１２月２３日に出願された、発明者ルピン・ホワン(“Luping Huang”)による「裏面に接触しないウェハエッジグリップチャック機構」と題された、米国仮特許出願第６１／９２０，４５６号の優先権を米国特許法第１１９条（ｅ）の下で主張し、該出願の全てを参照により本明細書に援用する。
【０００２】
本発明は、概して、ウェハ評価システムで用いるためのウェハチャックに関し、特に、非接触式ウェハチャックに関する。
【背景技術】
【０００３】
半導体装置の製造プロセスの公差が狭くなり続けているため、改良された半導体ウェハ検査ツールの需要が増え続けている。このような検査ツールの一例は、ウェハ検査ツール（例えば、ウェハエッジ検査ツール）を含む。このような光学系において、関連するウェハチャックが、エッジ検査中にウェハを回転させるために使用され得る。幾つかのウェハチャックは、ウェハをウェハチャック面より上に持ち上げるエアベアリングを提供し得る。
【先行技術文献】
【特許文献】
【０００４】
【特許文献１】米国特許出願公開第２０１３／０３０９８７４号
【発明の概要】
【発明が解決しようとする課題】
【０００５】
しかし、このようなシステムは、ウェハがその下のウェハチャックに対して回転されるときの、ウェハチャックに関する高さ変動の問題を有する。従って、先行技術にて認められる欠点を解決するシステム及び方法を提供することが有利であろう。
【課題を解決するための手段】
【０００６】
本発明の例示的な実施形態によるウェハの非接触式チャッキングのための装置を開示する。例示的な一実施形態において、前記装置はウェハチャックを含む。例示的な一実施形態において、前記ウェハチャックは、前記ウェハを前記ウェハチャックの面より上に持ち上げるのに適した１以上の加圧ガス領域を前記ウェハチャックの前記面にわたって生成するように構成された１以上の加圧ガス要素を含む。別の例示的な実施形態において、前記ウェハチャックは、さらに、１以上の減圧領域を前記ウェハチャックの前記面にわたって生成するように構成された１以上の真空要素を含む。例示的な一実施形態において、前記減圧領域は、前記加圧ガス領域よりも低い圧力を有する。別の例示的な実施形態において、前記１以上の減圧領域が、前記ウェハを、前記ウェハチャックより上に、前記ウェハチャックに接触させずに保持するのに適している。別の例示的な実施形態において、前記装置は、前記ウェハチャックの一部に連結されたグリッパ組立体を含む。別の例示的な実施形態において、前記装置は、前記ウェハチャックに機械的に連結された回転駆動ユニットを含む。別の例示的な実施形態において、前記回転駆動ユニットは、前記ウェハチャックを選択的に回転させるように構成されている。別の例示的な実施形態において、前記グリッパ組立体は、前記ウェハを水平方向に保持するように、そしてそれにより、前記ウェハ及び前記グリッパ組立体が、前記回転駆動ユニットによる前記ウェハチャックの回転中に前記ウェハチャックと同期的に回転するように、前記ウェハの１以上のエッジ部に可逆的に連結可能である。
【０００７】
本発明の例示的な実施形態による光学系を開示する。例示的な一実施形態において、前記光学系はウェハチャッキングサブシステムを含む。別の例示的な実施形態において、前記光学系は、前記ウェハチャッキングサブシステムにより保持された前記ウェハの１以上の部分を照射するように構成された照射源を含む。別の例示的な実施形態において、前記光学系は、前記照射された前記ウェハの１以上の部分からの照射を収集するように構成された検出器を含む。例示的な一実施形態において、ウェハチャッキングサブシステムは、ウェハチャックを含む。例示的な一実施形態において、前記ウェハチャックは、前記ウェハを前記ウェハチャックの面より上に持ち上げるのに適した１以上の加圧ガス領域を前記ウェハチャックの前記面にわたって生成するように構成された１以上の加圧ガス要素を含む。別の例示的な実施形態において、前記ウェハチャックは、さらに、１以上の減圧領域を前記ウェハチャックの前記面にわたって生成するように構成された１以上の真空要素を含む。例示的な一実施形態において、前記減圧領域は前記加圧ガス領域よりも低い圧力を有する。別の例示的な実施形態において、前記１以上の減圧領域は、前記ウェハを、前記ウェハチャックより上に、前記ウェハチャックに接触させずに保持するのに適している。別の例示的な実施形態において、前記ウェハチャッキングサブシステムは、前記ウェハチャックの一部に連結されたグリッパ組立体を含む。別の例示的な実施形態において、前記ウェハチャッキングサブシステムは、前記ウェハチャックに機械的に連結された回転駆動ユニットを含む。別の例示的な実施形態において、前記回転駆動ユニットは、前記ウェハチャックを選択的に回転させるように構成されている。別の例示的な実施形態において、前記グリッパ組立体は、前記ウェハを水平方向に保持するように、そしてそれにより、前記ウェハ及び前記グリッパ組立体が、前記回転駆動ユニットによる前記ウェハチャックの回転中に前記ウェハチャックと同期的に回転するように、前記ウェハの１以上のエッジ部に可逆的に連結可能である。
【０００８】
本発明の例示的な実施形態によるウェハの非接触式チャッキングのための装置を開示する。例示的な一実施形態において、前記方法は、前記ウェハをウェハチャックの面より上に持ち上げるために、１以上の加圧ガス領域を前記ウェハチャックの面にわたって生成するステップを含む。別の例示的な実施形態において、前記方法は、前記ウェハを前記ウェハチャックより上に、前記ウェハチャックに接触させずに保持するために、１以上の減圧領域を前記ウェハチャックの前記面にわたって生成するステップを含む。別の例示的な実施形態において、前記方法は、グリッパ組立体を前記ウェハのエッジ部に、前記ウェハを前記ウェハチャックに対して回転可能に保持するために可逆的に連結するステップを含む。別の例示的な実施形態において、前記方法は、前記ウェハ、前記グリッパ組立体、及び、前記ウェハチャックを、選択された回転速度で同期的に回転させるステップを含む。
【０００９】
上記の概略的な説明及び以下の詳細な説明が、共に例示的且つ説明的なものに過ぎず、本発明を、特許請求の範囲に記載されるように必ずしも限定しないことが理解されよう。本明細書に組み込まれ且つその一部を構成する添付図面は、本発明の実施形態を例示し、また、上記の概略的説明と共に、本発明の原理を説明するのに役立つ。
【００１０】
当業者は本開示の多くの利点を、添付図面を参照することにより、より良好に理解するであろう。
【図面の簡単な説明】
【００１１】
【図１Ａ】本開示の一実施形態による非接触式ウェハチャッキングシステムの断面図である。
【図１Ｂ】本開示の一実施形態による非接触式ウェハチャッキングシステムのウェハチャックの断面図である。
【図１Ｃ】本開示の一実施形態による非接触式ウェハチャッキングシステムのウェハチャックの上面図である。
【図１Ｄ】本開示の一実施形態による非接触式ウェハチャッキングシステムの概略底面図である。
【図１Ｅ】本開示の一実施形態による非接触式ウェハチャッキングシステムの概略上面図である。
【図１Ｆ】本開示の一実施形態による、グリッパ組立体を有する非接触式ウェハチャッキングシステムの係合解除状態の概略底面図である。
【図１Ｇ】本開示の一実施形態による、グリッパ組立体を有する非接触式ウェハチャッキングシステムの係合状態の概略底面図である。
【図２Ａ】本開示の一実施形態による、非接触式ウェハチャッキングシステムを備えたウェハ検査システムの簡略概略図である。
【図２Ｂ】本開示の一実施形態による、非接触式ウェハチャッキングシステムを備えたウェハ検査システムの簡略概略図である。
【図３】本開示の一実施形態による、非接触式ウェハチャッキングシステムを備えたウェハエッジ検査システムの簡略概略図である。
【図４】本開示の一実施形態による、ウェハの非接触式チャッキングのための方法を示すフローチャートである。
【発明を実施するための形態】
【００１２】
ここで、添付図面に示されている開示される主題を詳細に説明する。
【００１３】
図１Ａ〜図４を参照して、本開示によるウェハの非接触式チャッキングのためのシステム及び方法を開示する。非接触式ウェハチャックの使用は、２０１３年５月２１日にジーベルト(Siebert)らに付与された米国特許第８，４４４，１２６号にほぼ記載されており、この特許の全てを援用して本明細書の一部とする。
【００１４】
本開示の実施形態は、ウェハ、例えば、半導体ウェハ（例えば２００ｍｍ〜５００ｍｍのウェハ）をウェハチャックより上に持ち上げ且つ保持するのに適したウェハチャック及びグリップ装置に向けられている。本開示の実施形態は、さらに、ウェハとウェハチャックとを、所与のスキャン中にウェハとウェハチャックとの間に相対運動が存在しないように同期的に回転させることに向けられている。このような構造が、ウェハチャックの高さ変動及び振動により生じるスキャニングエラーの回避を補助する。さらに、本開示のウェハチャッキングシステムが、様々な光学測定状況、例えば、限定はしないが、ウェハエッジ検査システムにて実施され得ることに留意されたい。
【００１５】
図１Ａは、本開示の一実施形態による、非接触式ウェハチャッキングシステム１００の簡略断面図を示す。一実施形態において、ウェハチャッキングシステム１００は、ウェハ１０４をウェハチャック１０２の面より上に、ウェハチャック１０２に接触させずに保持するためのウェハチャック１００を含む。別の実施形態において、ウェハチャッキングシステム１００はグリッパ組立体１０６を含む。別の実施形態において、ウェハチャッキングシステム１００は回転駆動ユニット１１６を含む。回転駆動ユニット１１６はウェハチャック１０２に連結されており、且つ、ウェハスキャニングプロセス中に、ウェハチャック１０２、グリッパ組立体１０６及びウェハ１０４を選択的に回転させるように構成されている。
【００１６】
一実施形態において、図１Ａ〜図１Ｂに示されているように、ウェハチャック１０２は、１以上の加圧ガス要素１０３を含む。一実施形態において、加圧ガス要素１０３は、関連する加圧領域１０７を、それぞれの加圧ガス要素１０３又はその付近に生成する。加圧領域１０７は、上向きの力をウェハ１０４に加えるように機能する。これに関し、１以上の加圧ガス要素１０３が、ウェハ１０４をウェハチャック１０２の面より上に持ち上げるのに適した１以上の加圧ガス領域１０７をウェハチャック１０２の面にわたって生成し得る。一実施形態において、ウェハチャック１０２は、図１Ｂに示されているように、複数の加圧ガス要素１０３を含み得る。これに関し、複数の加圧ガス要素１０３が、ウェハ１０４をウェハチャック１０２の面より上に持ち上げるのに適した１以上の加圧ガス領域１０７を、ウェハチャックの面にわたり分布して生成し得る。本明細書において、加圧ガス領域１０７が加圧ガス要素１０３に対して必ずしも１対１対応で形成されるわけでないことに留意されたい。例えば、２つ以上のガス要素１０３（例えば、ガスノズル、ガスチャネル、多数のガスノズル、多数のガスチャネル）が、単一の加圧領域１０７の形成に寄与し得る。
【００１７】
一実施形態において、ウェハチャック１０２の１以上の加圧ガス要素１０３が、ウェハ１０４をウェハチャック１０２の面より上に持ち上げるための加圧エアポケットを形成する。これに関し、１以上の加圧要素１０３が１以上の加圧エアポケット（又はその他のガス）を形成し得る。これが、ウェハ１０４の底部に上向きの合力(net force)を加え、それによりウェハ１０４を、ウェハチャック１０４より上の所定位置に、鉛直方向に安定させる。
【００１８】
別の実施形態において、図１Ａ〜図１Ｂに示されているように、ウェハチャック１０２は、１以上の真空要素１０５を含む。一実施形態において、真空要素１０５は、関連する減圧又は真空領域１０９を、それぞれの真空ガス要素１０５の入口又はその付近に生成する。例えば、１以上の減圧領域１０９が、１以上の加圧領域１０７よりも低い圧力を有し得る。１以上の真空要素１０５は、１以上の減圧領域１０９を、ウェハチャック１０２の面にわたって生成し得る。これらの領域１０９は、ウェハ１０４をウェハチャック１０２の面より上に、ウェハ１０４とウェハチャック１０２との接触を生じさせずに保持するのに適している。これに関し、減圧領域１０９は、下向きの力をウェハ１０４に加えるように機能する。真空要素１０５からの下向きの力と、１以上の加圧ガス要素からの上向きの力との組合せが、ウェハ１０２の鉛直方向位置を、ウェハチャック１０２より上の所定の場所に安定させるように機能する。
【００１９】
一実施形態において、図１Ｂに示されているように、ウェハチャック１０２は、複数の真空要素１０５を含み得る。これに関し、複数の真空要素１０５は、ウェハチャック１０２の面にわたって分布された１以上の減圧領域１０９を生成し得る。これらの領域１０９は、ウェハ１０４をウェハチャック１０２の面より上に保持するのに適している。本明細書において、減圧領域１０９が真空要素１０５に対して必ずしも１対１対応で形成されるわけでないことに留意されたい。例えば、２つ以上の真空要素１０５が、単一の減圧領域１０９を形成するように寄与し得る。また、本明細書において、幾らかの量の「クロスフロー」(“cross-flow”)が加圧ガス領域１０７と減圧領域１０９との間に存在し得ることに留意されたい。これに関し、領域１０７に関連する加圧ガス要素１０３からのガスが減圧領域１０９に流れる場合があり、それらは真空要素１０５により排出され得る。
【００２０】
一実施形態において、１以上の加圧ガス要素１０３が、１以上のガスノズルを含み得る。例えば、１以上の加圧ガス要素１０３は、限定はしないが、ガス（例えば空気）をウェハチャック１０４の面から上方に送って１以上の加圧領域１０を生成するように構成された１以上のガスノズルを含み得る。例えば、加圧ガスノズルは、限定はしないが、ウェハチャック１０２の面から切削された（又は、この面に成形／キャスティングされた）ボア穴を含むことができ、この穴に１以上のガス配送ラインが流体連結されて、ガス（例えば空気）をこの穴に配送するように機能する。
【００２１】
一実施形態において、１以上の加圧ガス要素１０３が、１以上のガスチャネルを含む。例えば、１以上の加圧ガス要素１０３は、限定はしないが、ガス（例えば空気）をウェハチャック１０４の面から上方に送って１以上の加圧領域１０７を生成するように構成された１以上のガスチャネルを含み得る。例えば、加圧ガスチャネルは、限定はしないが、ウェハチャック１０２の面から切削された凹部領域を含むことができ、この凹部に１以上のガス配送ラインが流体連結されて、ガス（例えば空気）を、凹部を有するチャネルに配送するように機能する。
【００２２】
一実施形態において、１以上の真空要素１０５が、１以上のガスノズルを含む。例えば、１以上の真空要素１０５は、限定はしないが、ガス（例えば空気）をウェハチャック１０４の面から下方に排出させて１以上の減圧領域１０９を生成するように構成された１以上のガスノズルを含む。例えば、真空ノズルは、限定はしないが、ウェハチャック１０２の面から切削された（又は、この面に成形／キャスティングされた）ボア穴を含むことができ、この穴に１以上のガス配送ラインが流体連結されて、ガス（例えば空気）をこの穴付近の領域から排出するように機能する。
【００２３】
一実施形態において、１以上の真空要素１０５が、１以上のガスチャネルを含む。例えば、１以上の真空要素１０５は、限定はしないが、ガス（例えば空気）をウェハチャック１０４の面から下方に排出させて１以上の減圧領域１０９を生成するように構成された１以上のガスチャネルを含む。例えば、真空ガスチャネルは、限定はしないが、ウェハチャック１０２の面から切削された凹部領域を含むことができ、この凹部にガス配送ラインが流体連結されて、ガス（例えば空気）を、凹部を有するチャネル付近の領域から排出するように機能する。
【００２４】
一実施形態において、図１Ｂに示されているように、真空要素１０５の少なくとも一部が、加圧ガス要素１０３の一部に挟まれて配置される。これに関し、１以上の真空要素１０５が、加圧ガス要素１０３の１以上と交互になるように配置され得る。本明細書において、加圧ガス要素１０３と真空ガス要素１０５とを、ウェハチャック１０２の面にわたる任意のパターンで配置し得ることが理解されよう。例えば、加圧ガス要素１０３と真空ガス要素１０５とを、当分野で公知技術のどのような（１又は複数の）幾何学的パターンでも配置し得る。
【００２５】
例えば、加圧ガス要素１０３と真空ガス要素１０５とを線形格子状に配置でき、この場合、１以上の真空要素１０５が１以上の加圧ガス要素１０３とＸ−Ｙ位置の関数として交互に配置される。別の例において、加圧ガス要素１０３と真空ガス要素１０５とを円形格子状に配置でき、この場合、１以上の真空ガス要素１０５が１以上の加圧ガス要素１０３と、ウェハチャック１０２に関する角度位置の関数として交互に配置される。別の例において、加圧ガス要素１０３と真空要素１０５とを同心放射状格子状に配置でき、この場合、１以上の真空ガス要素１０５の同心リングが１以上の加圧ガス要素１０３の同心リングと、ウェハチャック１０２上の半径方向位置の関数として交互に配置される。
【００２６】
図１Ｃは、本開示の一実施形態による、加圧ガス要素１０３及び真空要素１０５の配置を示す。一実施形態において、ウェハチャック１０２は、複数の加圧ガス要素１０３のセット１２２を含む。別の実施形態において、ウェハチャック１０２は、複数の真空ガス要素１０５のセット１２４を含む。図１Ｃに示されているように、加圧ガス要素１０３のセット１２２は、真空ガス要素１０５のセット１２４に挟まれて配置され得る。本明細書において、図１Ｃに示した配置が限定的なものではなく、単に例示のために提供されていることに留意されたい。ここでもまた、加圧ガス要素（又は加圧ガス要素のセット）及び真空要素（又は加圧ガス要素のセット）を、ウェハチャックの面にわたり任意の適切なパターンで配置し得ることが理解されよう。
【００２７】
本明細書において、１以上の加圧ガス要素１０３がガス配送システム及び／又はネットワーク（図示せず）に流体連通され得ることに留意されたい。これに関し、ガス源が配送システム／ネットワークに接続されることができ、ガスが加圧ガス要素１０３に、配送システム／ネットワークを介して配送され得る。一実施形態において、配送システム／ネットワークは、ガス（例えば空気）を加圧ガス要素１０３に送り込むための１以上のガスポンプを含み得る。別の実施形態において、配送システム／ネットワークは、１以上のガスフィルタ（例えば空気フィルタ）を含むことができ、これにより、供給されたガスを、それらが加圧ガス要素１０３を通して出力される前に濾過し得る。さらに、本明細書において、１以上の真空要素１０５が真空システム及び／又はネットワーク（図示せず）に流体連通され得ることに留意されたい。これに関し、ガスポンプが真空要素１０５に流体連結されることができ、且つ、ガスを真空要素１０５を通して外部リザーバ（例えば、ガス容器、周囲雰囲気など）に排出させるように構成され得る。当業者には、本開示のシステム１００の実施に適した様々なガス配送及びガス真空機構が存在することが理解されよう。
【００２８】
図１Ｄは、本開示の１以上の実施形態による、ウェハチャック１０２及びグリッパ組立体１０６の概略底面図である。図１Ｄに示されているように、グリッパ組立体１０６のグリッパ要素１０８が、ウェハ１０４を水平方向に保持するように機能する。さらに、カムユニット１１４がウェハチャック１０２に機械的に連結されており、ウェハ１０４の保持においてグリッパ要素１０８の運動を駆動するために使用される。グリッパ組立体１０６のグリッパ要素は、ウェハ１０４を保持したならば、ウェハチャック１０２が回転駆動ユニット１１４（図１Ｄには示さず）により回転されるときにウェハ１０４をウェハチャック１０２と同期的に回転させる。図１Ｅは、本開示の１以上の実施形態による、ウェハ１０４を保持しているウェハチャック１０２の概略上面図である。図１Ｅに示されているように、ウェハチャック１０２は、加圧ガス要素１０３の、半径方向に位置合わせされたセット列を含み得る。さらに、ウェハチャック１０２は、真空要素１０５の、半径方向に位置合わせされたセット列を含み得る。
【００２９】
再び図１Ａを参照する。一実施形態において、グリッパ組立体１０６はウェハチャック１０２の一部に機械的に連結されている。一実施形態において、グリッパ組立体１０６はウェハ１０４の１以上のエッジ（縁）部に可逆的に連結可能である。これに関し、グリッパ組立体１０６はウェハ１０４を水平方向に保持し得る。例えば、図１Ａに示されているように、グリッパ組立体１０６は、ウェハ１０４を水平方向に沿って、鉛直方向の有意の接触力を加えずに保持するように機能し得る。別の実施形態において、グリッパ組立体１０６はウェハ１０４を（ウェハチャック１０２に対して）水平方向に且つ回転可能に保持することができ、これにより、ウェハチャック１０２及びグリッパ組立体１０６が回転駆動ユニット１１６により回転されるときに、ウェハ１０４もまた回転される。これに関し、ウェハ１０４は、ウェハスキャニングプロセス中に外側基準フレームに対しては回転するが、ウェハチャック１０２の面に対しては有意に移動しない。
【００３０】
別の実施形態において、グリッパ組立体１０６は、ウェハ１０４の水平方向位置を調整するように機能でき、これにより、スキャニングプロセス中にウェハ１０４を、ウェハ１０４の回転前にほぼ中央に配置し得る。
【００３１】
一実施形態において、ウェハチャッキングシステム１００のグリッパ組立体１０６は、１以上のグリッパ要素１０８を含む。別の実施形態において、グリッパ組立体１０６のグリッパ要素１０８は、１以上の接続アーム又はロッド１１０、及び、１以上のグリッパヘッド１１２を含む。別の実施形態において、１以上のグリッパヘッド１１２が、ウェハ１０４を保持するのに適した、当分野で公知の任意の機構を含み得る。例えば、１以上のグリッパヘッド１１２は、限定はしないが、ウェハを保持するためのばね荷重装置を含み得る。別の例として、１以上のグリッパヘッド１１２が、限定はしないが、摩擦を介してウェハ１０４を保持するように構成された摩擦部分を含み得る。
【００３２】
一実施形態において、グリッパ組立体１０６は、限定はしないが、２つ以上（例えば、２つ、３つ、４つ、５つなど）のグリッパ要素１０８を含み得る。例えば、図１Ｄ及び図１Ｅに示されているように、グリッパ組立体１０６は３つのグリッパ要素１０８を含み得る。別の例において、図示されていないが、グリッパ組立体１０６は４つのグリッパ要素１０８を含み得る。
【００３３】
別の実施形態において、グリッパ組立体１０６は、カムユニット１１４を含む。一実施形態において、カムユニット１１４はグリッパ組立体１０６に機械的に連結されている。一実施形態において、図１Ｆ及び図１Ｇに示されているように、カムユニットは、グリッパ組立体１０６の１以上のグリッパ要素１０８の線形運動を駆動するように構成されている。これに関し、カムユニット１１４は、グリッパ要素１０８をウェハ１０４の１以上の部分に選択的に係合及び／又は係合解除し得る。例えば、図１Ｆに示されているように、カムユニット１１４はグリッパ要素１０８を、拡張（すなわち係合解除）状態に移動させ得る。このような構造が、回転スキャニングプロセスの前にユーザ（又はロボットアーム）がウェハ１０４をウェハチャック１０２上に設置することを可能にする。また、カムユニット１１４は、ユーザ又はロボットアーム（図示せず）がウェハ１０４をチャック１０２から取り外すときに係合解除状態に配置され得る。さらなる例として、図１Ｇに示されているように、カムユニット１１４は、グリッパ要素１０８を、引き込み（すなわち係合された）状態に移動させ得る。このような構造が、回転スキャニングプロセス中にチャック１０２がウェハをチャック１０２より上に保持しているときに、ウェハ１０２を水平方向に保持するように機能する。
【００３４】
再び図１Ａを参照すると、ウェハチャック１０２（及び、接続されたグリッパ組立体１０６）が、回転駆動ユニット１１７のシャフト１１６又はスピンドルにより支持されている。例えば、シャフト１１７はモータ１１９に接続され得る。これに関し、モータ１１９は、シャフト１１７を選択された回転速度で回転させるように構成されることができ、それにより、ウェハチャック１０２、グリッパ組立体１０６、及びウェハ１０４を、ウェハチャック１０２の面に垂直な軸を中心に回転させ得る。例えば、ウェハチャック１０２、グリッパ組立体１０６、及びウェハ１０４は、１０００回転／分（ｒｐｍ）より大きい速度（例えば、１０００ｒｐｍ〜１００００ｒｐｍ）で回転され得る。
【００３５】
図２Ａ及び図２Ｂは、本開示の１以上の実施形態による、非接触式ウェハチャッキングシステム１００を備えた検査システム２００，２１０のハイレベルブロック図である。一実施形態において、本開示のウェハ検査システム２００，２１０は、本明細書で上述したような非接触式ウェハチャッキングシステム１００を含み得る。一実施形態において、検査システム２００，２１０は、さらに、ウェハ１０４の面上の領域を照射するように構成された少なくとも１つの光源２０２（例えば、１以上のレーザ、１以上の広帯域光源など）を含む。別の実施形態において、検査システム２００，２１０は、光源２０２により照射された領域から反射、回析又は散乱された光を検出するのに適した１以上の検出器２０４又はカメラを含む。一実施形態において、１以上の検出器２０４が、限定はしないが、ＣＣＤ若しくはＴＤＩ−ＣＣＤ検出器、又は、光電子増倍管検出器を含み得る。さらに、検査システム２００，２１０は、光学素子（例えば、照明光学系、集光光学系、ビームスプリッタ２０６、フィルタなど）のセットを含み得る。これらの光学素子は、光源２０２からの照射をウェハ１０４の面上に方向付け（及び集束）するために、そして、ウェハ１０４の面からの照射を、検査システム２００，２１０の検出器２０４の結像部に向けるために構成されている。例えば、システム２００，２１０のための光学素子のセットは、限定はしないが、ウェハの照射領域を検出器２０４の集束部（単数又は複数）上に結像するのに適した第１の結像レンズを含み得る。さらに、結像検出器２０４は、検出器２０４から得られる画像データを識別及び記憶し得る画像処理コンピュータに通信可能に接続され得る。
【００３６】
本開示の検査システム２００，２１０は、当分野で公知の任意の検査システムとして構成され得る。例えば、図２Ａに示されているように、本発明の検査システム２００を、明視野（ＢＦ）検査システムとして構成し得る。或いは、図２Ｂに示されているように、検査システム２１０を暗視野（ＤＦ）検査システムとして構成し得る。出願人は、図２Ａ及び図２Ｂに示した光学構成が単に例示のために提供されたに過ぎず、限定的なものと解釈されるべきでないことを注記しておく。概して、本開示の検査システム２００，２１０は、ウェハ１０４の面の撮像に適した結像素子及び光学素子の任意のセットを含み得る。ウェハ検査ツールの例は、米国特許第７，０９２，０８２号、米国特許第６，７０２，３０２号、米国特許第６，６２１，５７０号、及び、米国特許第５，８０５，２７８号に詳細に記載されており、これらの特許を援用して本明細書の記載の一部とする。
【００３７】
図３は、本開示の１以上の実施形態による、非接触式ウェハチャッキングシステム１００を備えたエッジ検査３００のハイレベルブロック図である。明瞭化のために、グリッパ組立体１０６は図３には示されていない。しかし、本明細書において、グリッパ組立体１０６がこのようなエッジ検査設定に存在することが理解されよう。図３に示されているように、エッジ検査システム３００は、ウェハ１０４のエッジ領域３０２から画像データを収集するのに適した検出器３０４を含み得る。さらに、検査システム３００が、エッジ３０２の様々な部分を検出器３０４を用いて検査することを可能にすることが理解されよう。例えば、図３に示されているように、検出器３０４は位置Ａにて、ウェハ１０４のエッジ３０２の上部（例えば、ウェハベベルの頂部）の画像データを収集し得る。別の例として、図３に示されているように、検出器３０４は位置Ｂにて、ウェハ１０４のエッジ３０２の中央部（例えば、ウェハベベルの中央）の画像データを収集し得る。別の例として、図３に示されているように、検出器３０４は位置Ｃにて、ウェハ１０４のエッジ３０２の底部（例えば、ウェハベベルの底部）の画像データを収集し得る。
【００３８】
図４は、本開示の１以上の実施形態によるウェハの非接触式チャッキングのための方法４００のステップを示すフローチャートである。ステップ４０２において、ウェハをウェハチャックの面より上に持ち上げるために、１以上の加圧ガス領域がウェハチャックの面にわたって生成される。ステップ４０４において、ウェハをウェハチャックより上に、ウェハチャックに接触させずに保持するために、１以上の減圧領域がウェハチャックの面にわたって生成される。ステップ４０６において、ウェハをウェハチャックに対して回転可能に保持するために、１以上のグリッパ要素がウェハのエッジ部に可逆的に連結され又は取り付けられる。ステップ４０８において、ウェハ、複数のグリッパ要素、及び、ウェハチャックが、選択された回転速度で同期的に回転される。
【００３９】
本明細書に記載された主題が、その他の構成要素内に含まれた、又はそれらに接続された異なる構成要素を示す場合がある。このように示されたアーキテクチャが単に例示的なものであり、実際には、同一機能を達成する多くのその他のアーキテクチャが実現可能であることが理解されよう。概念的には、同一機能を達成するための構成要素のどのような配置も、所望の機能が達成されるように有効に「関連付けられる」。従って、特定の機能を達成するために明細書中で組み合わされた任意の２つの構成要素を、アーキテクチャ又は中間構成要素に関係無く、所望の機能が達成されるように互いに「関連付けられている」とみなし得る。同様に、このように関連付けられた任意の２つの構成要素を、所望の機能を達成するために互いに「接続されている」又は「連結されている」とみなすこともでき、また、このように関連付けられることができる任意の２つの構成要素を、所望の機能を達成するために互いに「連結可能である」とみなすこともできる。連結可能なものの特定の例は、物理的に噛み合い可能な及び／若しくは物理的に相互作用する構成要素、並びに／又は、無線で相互作用可能な及び／若しくは無線で相互作用する構成要素、並びに／又は、論理的に相互作用する及び／若しくは論理的に相互作用可能な構成要素を含むが、これらに限定されない。
【００４０】
本開示及びそれに付随する利点の多くが、上記の説明により理解されるであろう。また、様々な変更が、開示された主題から逸脱することなく、また、その材料の利点の全てを犠牲にすることなく、構成要素の形態、構造、及び配置に対してなされ得ることが明らかであろう。本文に記載された形態は単なる例示であり、このような様々な変更を包含することが、以下の特許請求の範囲の意図である。また、本発明が、添付の請求の範囲により定義されることが理解されよう。
【図１Ａ】
0006566424.tif 000002
【図１Ｂ】
0006566424.tif 000003
【図１Ｃ】
0006566424.tif 000004
【図１Ｄ】
0006566424.tif 000005
【図１Ｅ】
0006566424.tif 000006
【図１Ｆ】
0006566424.tif 000007
【図１Ｇ】
0006566424.tif 000008
【図２Ａ】
0006566424.tif 000009
【図２Ｂ】
0006566424.tif 000010
【図３】
0006566424.tif 000011
【図４】
0006566424.tif 000012